Podtech/llm-jp-corpus-v4-ja_patent huggingface dataset:
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
入賞容易状態と入賞困難状態とに切り替え可能な開閉始動口と、
当りに関する抽選を行う抽選手段と、
通常遊技状態と該通常遊技状態よりも有利な有利遊技状態とを含む何れかの遊技状態に制御する遊技状態制御手段と、
遊技媒体が付与されたことを示す付与演出を実行する付与演出実行手段と、を備えた遊技機であって、
前記抽選で当りに当選した場合に特定入賞口を開放させる当り状態に制御され、当該当り状態の後に前記開閉始動口への入賞による前記抽選の頻度が高められた前記有利遊技状態に制御することを可能とされており、
前記当りには遊技媒体の増加量が異なる複数の当りがあり、前記開閉始動口への遊技媒体の入賞による前記抽選に基づいて前記当りが選ばれると、遊技媒体の増加量が最も少ない極少当りが最も選ばれるようになされており、
前記当り状態と次の当り状態との間に要する平均時間は、前記特定入賞口の１回の最大開放時間よりも短い時間となり得るようになされており、
前記付与演出には、通常付与演出と該通常付与演出よりも強調された態様で示される強調付与演出とがあり、前記極少当りが選ばれたことによって制御される極少当り状態における付与演出は当該強調付与演出を実行し、
前記極少当り状態と前記有利遊技状態が繰り返し行われうる中で、前記極少当り状態において表示される演出態様が前記有利遊技状態に移行した場合でも継続して表示可能とされており、
前記当り状態に制御されているときに開放させる前記特定入賞口へ遊技媒体が入賞したことに基づいて行われる遊技媒体の付与が完了するよりも前に前記抽選手段による抽選にて当選することを可能とし、
前記極少当り状態と前記有利遊技状態が繰り返し行われうる中で、所定の期間で複数回の遊技媒体の付与が行われたことが認識可能になされている
ことを特徴とする遊技機。
【手続補正２】
【補正対象書類名】明細書
【補正対象項目名】０００６
【補正方法】変更
【補正の内容】
【０００６】
前記目的を達成するために、本発明は、入賞容易状態と入賞困難状態とに切り替え可能な開閉始動口と、当りに関する抽選を行う抽選手段と、通常遊技状態と該通常遊技状態よりも有利な有利遊技状態とを含む何れかの遊技状態に制御する遊技状態制御手段と、遊技媒体が付与されたことを示す付与演出を実行する付与演出実行手段と、を備えた遊技機であって、前記抽選で当りに当選した場合に特定入賞口を開放させる当り状態に制御され、当該当り状態の後に前記開閉始動口への入賞による前記抽選の頻度が高められた前記有利遊技状態に制御することを可能とされており、前記当りには遊技媒体の増加量が異なる複数の当りがあり、前記開閉始動口への遊技媒体の入賞による前記抽選に基づいて前記当りが選ばれると、遊技媒体の増加量が最も少ない極少当りが最も選ばれるようになされており、前記当り状態と次の当り状態との間に要する平均時間は、前記特定入賞口の１回の最大開放時間よりも短い時間となり得るようになされており、前記付与演出には、通常付与演出と該通常付与演出よりも強調された態様で示される強調付与演出とがあり、前記極少当りが選ばれたことによって制御される極少当り状態における付与演出は当該強調付与演出を実行し、前記極少当り状態と前記有利遊技状態が繰り返し行われうる中で、前記極少当り状態において表示される演出態様が前記有利遊技状態に移行した場合でも継続して表示可能とされており、前記当り状態に制御されているときに開放させる前記特定入賞口へ遊技媒体が入賞したことに基づいて行われる遊技媒体の付与が完了するよりも前に前記抽選手段による抽選にて当選することを可能とし、前記極少当り状態と前記有利遊技状態が繰り返し行われうる中で、所定の期間で複数回の遊技媒体の付与が行われたことが認識可能になされていることを特徴とする遊技機。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
容器に充填されている薬液を注入する薬液注入装置であって、
前記容器内の前記薬液の注入動作を行う注入動作機構と、
表示デバイスと、
薬液の注入プロトコルに従って前記シリンジ内の薬液が注入されるように前記注入動作機構の動作を制御する注入装置制御回路と、
を有し、
前記注入装置制御回路には複数の前記注入プロトコルが設定可能であり、
前記注入装置制御回路は、前記注入プロトコルの番号を示すアイコンを前記表示デバイスに表示させ、
前記アイコンのうち前記注入プロトコルが予め設定されたアイコンは、注入フェーズの数およびインターバルの有無を表す少なくとも１つのドットを含む、薬液注入装置。
【請求項２】
前記少なくとも１つのドットを含むアイコンは、ドットの数が前記注入フェーズの数を表す請求項１に記載の薬液注入装置。
【請求項３】
前記アイコンは複数のドットを含み、ドットの間隔が前記インターバルの有無を表す請求項１に記載の薬液注入装置。
【請求項４】
複数の注入モードが選択可能であり、前記複数の注入モードのうち一つを前記表示デバイス上で選択できるように、複数の前記注入モードに対応した複数の注入モードアイコンを前記表示デバイスに表示させる請求項１に記載の薬液注入措置。
【請求項５】
電源が入れられたときに、前記注入動作機構が正常に動作するかどうかのセルフチェックを行う請求項１に記載の薬液注入装置。
【請求項６】
少なくとも１つのセンサをさらに有し、電源が入れられたときに、前記センサが正常に動作するかどうかのセルフチェックを行う請求項１に記載の薬液注入装置。
【請求項７】
前記薬液注入装置は、前記表示デバイスを備えたコンソールと、前記注入動作機構を備え前記コンソールとは別ユニットとして構成された注入ヘッドと、を有する請求項１から６のいずれか一項に記載の薬液注入装置。
【請求項８】
前記コンソールと前記注入ヘッドとの間で信号およびデータを送受信するための無線通信モジュールをさらに有する請求項７に記載の薬液注入装置。
【請求項９】
前記容器は、シリンダとピストンとを有するシリンジであり、
前記注入動作機構は、前記シリンジの前記ピストンを前記シリンダに対して進退移動させるピストン駆動機構である請求項１から８のいずれか一項に記載の薬液注入装置。
【請求項１０】
前記シリンジは、充填されている薬液および前記シリンジに関する情報が記録されたＩＣタグを備え、
前記薬液注入装置は、前記情報を前記ＩＣタグから読み出すリーダをさらに有する請求項９に記載の薬液注入装置。
【請求項１１】
前記シリンジを着脱自在に保持する保持機構をさらに有し、
前記リーダは、前記シリンジが前記保持機構に保持された状態で前記ＩＣタグと対向する位置に設置されたアンテナを有する請求項１０に記載の薬液注入装置。
【請求項１２】
前記アンテナは、導体からなるパターンが形成されたフレキシブルプリント基板を有し、前記シリンジと同心状となるように円弧状に曲げられている請求項１１に記載の薬液注入装置。
【請求項１３】
前記アンテナは、前記ＩＣタグと対向する面と反対側の面にフェライトシートを有する請求項１０または１２に記載の薬液注入装置。
【請求項１４】
前記シリンジをさらに有する請求項９から１３のいずれか一項に記載の薬液注入装置。
【請求項１５】
前記シリンジはプレフィルドシリンジである請求項１４に記載の薬液注入装置。
【請求項１６】
前記シリンジは、シリンダの末端にシリンダフランジが形成され、該シリンダフランジの外周に切欠き部を有する請求項１４または１５に記載の薬液注入装置。
【請求項１７】
前記容器は、シリンダとピストンとを有するシリンジであり、
前記注入動作機構は、前記シリンジの前記ピストンを前記シリンダに対して進退移動させるピストン駆動機構であり、
薬液が充填されていない空の前記シリンジをさらに有し、
前記注入装置制御回路は、前記シリンダに対して前記ピストンを後退させるように前記ピストン駆動機構を動作させることによって、外部の薬液容器から前記空のシリンジ内に薬液を充填することができるように構成されている請求項１に記載の薬液注入装置。
【請求項１８】
前記シリンジはＩＣタグを備え、
前記薬液注入装置は、前記シリンジに備えられたＩＣタグに、充填された薬液に関する情報を書き込むライタをさらに有する請求項１７に記載の薬液注入装置。
【請求項１９】
容器に充填されている薬液を被験者に注入し、薬液が注入された被験者の断層画像を撮像するシステムであって、
前記容器内の薬液の注入動作を行う機構を備えた薬液注入装置と、
表示デバイスと、
薬液が注入された被験者の断層画像の撮像を実行する撮像ユニットと、
薬液の注入プロトコルに従って前記シリンジ内の薬液が注入されるように前記注入動作駆動機構の動作を制御する注入装置制御回路と、
を有し、
前記注入装置制御回路には複数の前記注入プロトコルが設定可能であり、
前記注入装置制御回路は、前記注入プロトコルの番号を示すアイコンを前記表示デバイスに表示させ、
前記アイコンのうち前記注入プロトコルが予め設定されたアイコンは、注入フェーズの数およびインターバルの有無を表す少なくとも１つのドットを含む、システム。
【請求項２０】
前記薬液注入装置と前記画像撮像装置とは、相互間でデータの送受信を行えるように互いに接続されている請求項１９に記載のシステム。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
キャリアガスと共に皮膜材料を基材に噴射することによって当該基材上に皮膜を形成する皮膜形成装置に適用されるスプレーノズルであって、
ノズル本体と、
上記ノズル本体の先端に連結するノズル先端部と、
上記ノズル先端部における上記キャリアガスの通過路内に配され、上記皮膜材料の軌道を変更する少なくとも１つの軌道変更部と、を備え、
上記少なくとも１つの軌道変更部は、上記ノズル先端部に対して着脱可能であることを特徴とするスプレーノズル。
【請求項２】
キャリアガスと共に皮膜材料を基材に噴射することによって当該基材上に皮膜を形成する皮膜形成装置に適用されるスプレーノズルであって、
ノズル本体と、
上記ノズル本体の先端に連結するノズル先端部と、
上記ノズル先端部における上記キャリアガスの通過路内に配され、上記皮膜材料の軌道を変更する少なくとも１つの軌道変更部と、を備え、
上記少なくとも１つの軌道変更部は棒状であり、上記キャリアガスの通過路を横断するように配されていることを特徴とするスプレーノズル。
【請求項３】
上記少なくとも１つの軌道変更部は、上記キャリアガスの通過路を上記キャリアガスの流れ方向に対して垂直な平面で切断したときの断面形状の中央を通り、上記キャリアガスの流れ方向に対して垂直に配されていることを特徴とする請求項２に記載のスプレーノズル。
【請求項４】
上記少なくとも１つの軌道変更部は、複数存在し、
上記少なくとも１つの軌道変更部はそれぞれ、上記キャリアガスの通過路を上記キャリアガスの流れ方向に対して垂直な平面で切断したときの断面形状の中央を挟んで通り、上記キャリアガスの流れ方向に対して垂直に配されていることを特徴とする請求項２に記載のスプレーノズル。
【請求項５】
キャリアガスと共に皮膜材料を基材に噴射することによって当該基材上に皮膜を形成する皮膜形成装置に適用されるスプレーノズルであって、
ノズル本体と、
上記ノズル本体の先端に連結するノズル先端部と、
上記ノズル先端部における上記キャリアガスの通過路内に配され、上記皮膜材料の軌道を変更する少なくとも１つの軌道変更部と、を備え、
上記少なくとも１つの軌道変更部は、上記キャリアガスの流れ方向における断面が、上記皮膜材料の軌道を変化させて、上記皮膜材料を上記基材上に到達させる形状に形成され、
上記少なくとも１つの軌道変更部は、上記キャリアガスの流れ方向における断面の形状が円であることを特徴とするスプレーノズル。
【請求項６】
キャリアガスと共に皮膜材料を基材に噴射することによって当該基材上に皮膜を形成する皮膜形成装置に適用されるスプレーノズルであって、
ノズル本体と、
上記ノズル本体の先端に連結するノズル先端部と、
上記ノズル先端部における上記キャリアガスの通過路内に配され、上記皮膜材料の軌道を変更する少なくとも１つの軌道変更部と、を備え、
上記少なくとも１つの軌道変更部は、上記キャリアガスの流れ方向における断面が、上記皮膜材料の軌道を変化させて、上記皮膜材料を上記基材上に到達させる形状に形成され、
上記少なくとも１つの軌道変更部は、上記キャリアガスの流れ方向における断面の形状が三角形であり、
上記三角形は、３つの辺のうち１つの辺が上記基材の表面と平行であることを特徴とするスプレーノズル。
【請求項７】
上記ノズル先端部は、上記ノズル本体に対して着脱可能であることを特徴とする請求項１から６の何れか１項に記載のスプレーノズル。
【請求項８】
請求項１〜７の何れか１項に記載のスプレーノズルを備えることを特徴とする皮膜形成装置。
【請求項９】
請求項１〜７の何れか１項に記載のスプレーノズルを用い、上記キャリアガスと共に上記皮膜材料を上記スプレーノズルから噴射して、上記基材上に皮膜を形成することを特徴とする皮膜の形成方法。
【請求項１０】
上記皮膜の形成方法は、溶射法に用いられることを特徴とする請求項９に記載の皮膜の形成方法。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
ゲーム開始指示操作に応じて、複数種類の役それぞれについて入賞を許容する否かを抽選する役抽選手段と、
前記役抽選手段による抽選の結果、複数種類の小役の入賞が許容されたゲームにおいて、該複数種類の小役のうち、配当が最大の小役の入賞に必要な情報を指示する指示手段と、
前記指示手段が作動不能とされる通常状態において、前記役抽選手段による抽選結果に基づき、前記指示手段が作動可能とされる有利状態へ移行させるか否かを決定する有利状態移行決定手段と、を備えたスロットマシンにおいて、
前記有利状態には、前記指示手段の作動頻度が相対的に高く該指示手段による指示に従って遊技を行えば持ち球が増加する第１有利状態と、前記指示手段の作動頻度が相対的に低く該指示手段による指示に従って遊技を行っても持ち球が減少する第２有利状態とを含み、
前記有利状態移行決定手段により、前記有利状態へ移行させる旨が決定されたことを条件に、前記第１有利状態及び前記第２有利状態の何れに移行させるかを決定する移行先種別決定手段と、
前記移行先種別決定手段によって前記第１有利状態に移行させると決定されたことを条件に、前記第１有利状態を実行する第１有利状態実行手段と、
前記移行先種別決定手段によって前記第２有利状態に移行させると決定されたことを条件に、前記第２有利状態を実行する第２有利状態実行手段と、を備え、
前記第２有利状態実行手段は、
前記第２有利状態の開始にあたり、当該第２有利状態の継続ゲーム数を設定する継続ゲーム数設定手段と、
前記第２有利状態中に短縮条件を満たした場合に、前記継続ゲーム数の短縮を行うか否かを決定するとともに、短縮を行う場合は短縮後の値に前記継続ゲーム数を更新する継続ゲーム数短縮手段と、
前記第２有利状態を終了させるか否かを判断する第２有利状態終了判断手段と、を備え、
前記第２有利状態終了判断手段は、
前記第２有利状態中に前記継続ゲーム数が終了条件に相当する値となった場合に、当該第２有利状態を終了させると判断するとともに、
前記第２有利状態中に強制終了条件を満たした場合には、前記継続ゲーム数にかかわらず当該第２有利状態を終了させると判断することを特徴とする、スロットマシン。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
記録媒体から特定された価値に基づいた遊技媒体を使用可能にする指令を受けて、前記遊技媒体を遊技に使用する遊技機であって、
遊技者にとって有利な有利状態に制御可能な有利状態制御手段と、
前記有利状態中に付与された遊技媒体に関連した報知演出を実行する報知演出手段と、
前記記録媒体の取り忘れに関する注意喚起表示を表示可能な表示手段を備え、
前記有利状態には、第１有利状態と、当該第１有利状態よりも有利な第２有利状態とを含み、
前記表示手段は、
前記第１有利状態においては、当該第１有利状態の終了時に前記注意喚起表示を表示し、
前記第２有利状態においては、少なくとも当該第２有利状態の終了時以外の特定タイミングに前記注意喚起表示を表示可能である、遊技機。
【手続補正２】
【補正対象書類名】明細書
【補正対象項目名】０００６
【補正方法】変更
【補正の内容】
【０００６】
（１）記録媒体（プリペイドカード等）から特定された価値に基づいた遊技媒体（遊技球等）を使用可能にする指令を受けて、前記遊技媒体を遊技に使用する遊技機（パチンコ遊技機１等）であって、
遊技者にとって有利な有利状態（大当り遊技状態等）に制御可能な有利状態制御手段（遊技制御用マイクロコンピュータ５６０等）と、
前記有利状態中に付与された遊技媒体に関連した報知演出を実行する報知演出手段と、
前記記録媒体の取り忘れに関する注意喚起表示（取り忘れ防止表示、図１２に示す注意喚起小画像６０、注意喚起大画像６２等）を表示可能な表示手段（演出制御用マイクロコンピュータ１００等）を備え、
前記有利状態には、第１有利状態（第１確変大当り等）と、当該第１有利状態よりも有利な第２有利状態（第２確変大当り等）とを含み、
前記表示手段は、
前記第１有利状態においては、当該第１有利状態の終了時に前記注意喚起表示を表示し（図１２（ａ），（ｂ）に示すように、第１確変大当りにおいては、７Ｒの終了時に注意喚起小画像６０を表示する等）、
前記第２有利状態においては、少なくとも当該第２有利状態の終了時以外の特定タイミングに前記注意喚起表示を表示可能である（図１２（ｃ）〜（ｅ）に示すように、第２確変大当りにおいては、大当りの終了タイミングである１６Ｒの終了時に注意喚起大画像６２を表示するとともに、７Ｒの終了時にも注意喚起小画像６０を表示する等）。
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、  
前記有利状態の終了後に特別状態に制御可能な状態制御手段と、  
遊技媒体が入賞可能な第１状態と、遊技媒体が入賞困難または不可能な第２状態とに変化可能な可変入賞手段と、  
前記有利状態において、所定期間が経過すること、または遊技媒体が上限数入賞することの少なくともいずれかが成立するまで前記可変入賞手段を前記第１状態に変化させることが可能な開放遊技を所定回実行する可変入賞制御手段と、  
前記有利状態において前記可変入賞手段に遊技媒体が入賞したことに基づいて賞球を付与する賞球付与手段と、  
一の有利状態において付与された賞球に関する第１情報と、一旦前記有利状態に制御されてから前記特別状態が終了するまでに制御された前記有利状態にて付与された賞球に関する第２情報と、を、前記有利状態中に表示可能な表示制御手段と、を備え、  
前記表示制御手段は、
一の前記開放遊技において遊技媒体が前記上限数を超えて前記可変入賞手段に入賞したことに基づいて付与された賞球に関する情報を前記第２情報へ反映させる一方で、前記第１情報へ反映させることを制限し、  
一の開放遊技において遊技媒体が前記上限数を超えて前記可変入賞手段に入賞した場合に特殊表示を表示する
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機（例えばパチンコ遊技機１など）は、  
遊技者にとって有利な有利状態（例えば大当り遊技状態など）に制御可能な遊技機であって、  
前記有利状態の終了後に特別状態（例えば時短状態や確変状態など）に制御可能な状態制御手段と、  
遊技媒体が入賞可能な第１状態（例えば開放状態など）と、遊技媒体が入賞困難または不可能な第２状態（例えば閉鎖状態）とに変化可能な可変入賞手段（例えば特別可変入賞球装置７など）と、  
前記有利状態において、所定期間（例えば図１４（Ｂ）に示した１６．２秒など）が経過すること、または遊技媒体が上限数（例えば９個など）入賞することの少なくともいずれかが成立するまで前記可変入賞手段を前記第１状態に変化させることが可能な開放遊技（例えば、大当り遊技状態におけるラウンド遊技など）を所定回実行する可変入賞制御手段（例えばステップＳ１３９の処理やステップＳ１２７の処理を行う演出制御用ＣＰＵ１２０など）と、  
前記有利状態において前記可変入賞手段に遊技媒体が入賞したことに基づいて賞球を付与する賞球付与手段（例えば所定個数（例えば１５個）の遊技球を賞球として払い出すＣＰＵ１０３など）と、  
一の有利状態において付与された賞球に関する第１情報と、一旦前記有利状態に制御されてから前記特別状態が終了するまでに制御された前記有利状態にて付与された賞球に関する第２情報と、を、前記有利状態中に表示可能な表示制御手段（例えばステップＳ７４５の処理を実行する演出制御用ＣＰＵ１２０など）と、を備え、  
前記表示制御手段は、一の前記開放遊技において遊技媒体が前記上限数を超えて前記可変入賞手段に入賞したこと（例えばオーバー入賞したこと）に基づいて付与された賞球に関する情報を前記第２情報へ反映させる一方で、前記第１情報へ反映させることを制限し（例えばステップＳ５０４にてオーバー入賞であると判定された場合にはステップＳ５０４ａの処理を行わずステップＳ５０６の処理を実行するなど）、  
一の開放遊技において遊技媒体が前記上限数を超えて前記可変入賞手段に入賞した場合に特殊表示を表示する
ことを特徴とする。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
特定領域に遊技媒体が進入したことに基づいて変動表示を行ない表示結果を導出表示する第１特別変動表示手段と、
所定領域に遊技媒体が進入したことに基づいて変動表示を行ない表示結果を導出表示する普通変動表示手段と、
前記普通変動表示手段の表示結果が複数種類のうちのいずれかの所定表示結果となったときに、該所定表示結果に応じた所定期間に亘り遊技媒体が進入可能な状態となる普通可変入賞手段と、
前記普通可変入賞手段に遊技媒体が進入したことに基づいて変動表示を行ない表示結果を導出表示する第２特別変動表示手段と、
前記第１特別変動表示手段による変動表示に関する情報を保留記憶情報として記憶する第１保留記憶手段と、
前記第２特別変動表示手段による変動表示に関する情報を保留記憶情報として記憶する第２保留記憶手段と、
前記第２保留記憶手段の保留記憶情報に基づく前記第２特別変動表示手段の変動表示を、前記第１保留記憶手段の保留記憶情報に基づく前記第１特別変動表示手段の変動表示よりも優先して実行する制御を行なう優先制御手段と、
前記有利状態の終了後において、所定回数の変動表示が実行されるまで、前記普通可変入賞手段が遊技媒体の進入可能な状態となる頻度が通常遊技状態に比べて高い高頻度状態に制御可能な高頻度状態制御手段と、 
前記高頻度状態に制御されているときに、前記所定回数のうち最終回の変動表示において、表示結果が表示されてから次の変動表示が開始可能となる前に前記高頻度状態を終了させ、表示結果が表示されてから次の変動表示が開始可能となるまでの期間を、前記普通可変入賞手段に遊技媒体が進入可能な状態となる前記所定期間よりも長い期間に設定する設定手段とを備える、遊技機。
【手続補正２】
【補正対象書類名】明細書
【補正対象項目名】０００７
【補正方法】変更
【補正の内容】
【０００７】
（１）変動表示を行ない、遊技者にとって有利な有利状態（大当り遊技状態等）に制御可能な遊技機（パチンコ遊技機１等）であって、
特定領域（第１始動入賞口１３等）に遊技媒体（遊技球等）が進入したことに基づいて変動表示を行ない表示結果を導出表示する第１特別変動表示手段（第１特別図柄表示器８ａ等）と、
所定領域に遊技媒体が進入したことに基づいて変動表示を行ない表示結果を導出表示する普通変動表示手段（普通図柄表示器１０等）と、
前記普通変動表示手段の表示結果が複数種類のうちのいずれかの所定表示結果（普通当り表示結果等）となったときに、該所定表示結果に応じた所定期間に亘り遊技媒体が進入可能な状態（開放状態等）となる普通可変入賞手段（可変入賞球装置１５等）と、
前記普通可変入賞手段に遊技媒体が進入したことに基づいて変動表示を行ない表示結果を導出表示する第２特別変動表示手段（第２特別図柄表示器８ｂ等）と、
前記第１特別変動表示手段による変動表示に関する情報を保留記憶情報として記憶する第１保留記憶手段（ＲＡＭ５５、第１保留記憶バッファ等）と、
前記第２特別変動表示手段による変動表示に関する情報を保留記憶情報として記憶する第２保留記憶手段（ＲＡＭ５５、第２保留記憶バッファ等）と、
前記第２保留記憶手段の保留記憶情報に基づく前記第２特別変動表示手段の変動表示を、前記第１保留記憶手段の保留記憶情報に基づく前記第１特別変動表示手段の変動表示よりも優先して実行する制御を行なう優先制御手段（遊技制御用マイクロコンピュータ５６０、図１２のＳ５２〜Ｓ５４等）と、
前記有利状態の終了後において、所定回数（図２の当り後制御状態に示す各種回数）の変動表示が実行されるまで、前記普通可変入賞手段が遊技媒体の進入可能な状態となる頻度が通常遊技状態に比べて高い高頻度状態（高ベース状態（時短状態）等）に制御可能な高頻度状態制御手段（遊技制御用マイクロコンピュータ５６０、図１４のＳ１６３〜Ｓ１７０、図１０のＳ３０７，Ｓ３０１等）と、
前記高頻度状態に制御されているときに、前記所定回数のうち最終回の変動表示において、表示結果が表示されてから次の変動表示が開始可能となる前に前記高頻度状態を終了させ（図３５のＳ１４３〜Ｓ１４９等）、表示結果が表示されてから次の変動表示が開始可能となるまでの期間（図３４（Ｂ）の確定期間（１０秒）等）を、前記普通可変入賞手段に遊技媒体が進入可能な状態となる前記所定期間（図３４（Ｂ）の電チュー開放期間（９秒）等）よりも長い期間に設定する設定手段（図３５のＳ１３２Ｇ等）とを備える（遊技制御用マイクロコンピュータ５６０、図３４（Ｂ）等）。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
半導体光源と、半導体光源の陽極が接続された第１陽電極部および第２陽電極部と、半導体光源の陰極が接続された第１陰電極部および第２陰電極部と、凸部と、凹部と、を備える玩具用のブロックであって、
他のブロックに第１態様で取り付けられた場合に、本ブロックの第１陽電極部と他のブロックの第２陽電極部とが接触し、かつ、本ブロックの第１陰電極部と他のブロックの第２陰電極部とが接触する第１接触状態が実現され、
他のブロックに第１態様とは異なる第２態様で取り付けられた場合に、本ブロックの第１陽電極部と他のブロックの第２陰電極部とが接触し、かつ、本ブロックの第１陰電極部と他のブロックの第２陽電極部とが接触する第２接触状態が実現され、
第１陽電極部および第１陰電極部は凸部に設けられ、第２陽電極部および第２陰電極部は凹部に設けられ、
本ブロックの凸部が他のブロックの凹部に嵌め合わされることで本ブロックが他のブロックに取り付けられるブロック。
【請求項２】
凸部は円柱状であり、第１陽電極部および第１陰電極部は凸部に設けられ、第１陽電極部は凸部の軸を挟んで第１陰電極部の反対側に位置する請求項１に記載のブロック。
【請求項３】
凸部は角柱状であり、第１陽電極部および第１陰電極部はそれぞれ凸部の異なる側面に設けられる請求項１に記載のブロック。
【請求項４】
凸部の軸から見た第１陽電極部および第１陰電極部のそれぞれの存在範囲は９０度より小さい請求項２に記載のブロック。
【請求項５】
本ブロックが他のブロックに取り付けられた状態で第１接触状態または第２接触状態が実現される場合に、本ブロックの面と他のブロックの面とが揃うよう構成される請求項１から４のいずれか１項に記載のブロック。
【請求項６】
第１陽電極部および第２陽電極部はそれぞれ単一の導体板の一端部および他端部に含まれる請求項１から５のいずれか１項に記載のブロック。
【請求項７】
透光性を有するかまたは透明な本体をさらに備える請求項１から６のいずれか１項に記載のブロック。
【請求項８】
半導体光源は単色の発光ダイオードである請求項１から７のいずれか１項に記載のブロック。
【請求項９】
第１部材と、第１部材の一端部が途中まで挿入された貫通孔を有する第２部材と、を含む本体をさらに備え、
第１陽電極部および第２陽電極部はそれぞれ単一の陽極導体板の一端部および他端部に含まれ、
第１陰電極部および第２陰電極部はそれぞれ単一の陰極導体板の一端部および他端部に含まれ、
第１部材の一端部には半導体光源が収まる空間が設けられ、第１部材の側面には軸方向に沿って陽極導体板および陰極導体板が固定され、第１部材の他端部は本ブロックの凸部として機能し、第２部材の貫通孔のうち第１部材の一端部がない部分は本ブロックの凹部として機能する請求項１から８のいずれか１項に記載のブロック。
【請求項１０】
第１陽電極部または第２陽電極部は径方向に突き出た突出部を有し、
凸部または凹部もしくはその両方には、嵌め合わせの際に突出部の作用により生じる陽極導体板の曲がりを逃すための空間が設けられる請求項９に記載のブロック。
【請求項１１】
本ブロックが他のブロックに取り付けられた場合に、第１接触状態または第２接触状態のいずれが実現されるかを示す外観的特徴を有する請求項１から１０のいずれか１項に記載のブロック。
【請求項１２】
請求項１から１１のいずれか１項に記載のブロックを含むブロックセット。
【手続補正２】
【補正対象書類名】明細書
【補正対象項目名】０００７
【補正方法】変更
【補正の内容】
【０００７】
本発明のある態様は、ブロックに関する。このブロックは、半導体光源と、半導体光源の陽極が接続された第１陽電極部および第２陽電極部と、半導体光源の陰極が接続された第１陰電極部および第２陰電極部と、を備える玩具用のブロックであって、他のブロックに第１態様で取り付けられた場合に、本ブロックの第１陽電極部と他のブロックの第２陽電極部とが接触し、かつ、本ブロックの第１陰電極部と他のブロックの第２陰電極部とが接触する第１接触状態が実現され、他のブロックに第１態様とは異なる第２態様で取り付けられた場合に、本ブロックの第１陽電極部と他のブロックの第２陰電極部とが接触し、かつ、本ブロックの第１陰電極部と他のブロックの第２陽電極部とが接触する第２接触状態が実現される。
本発明の別の態様もまた、ブロックである。このブロックは、半導体光源と、半導体光源の陽極が接続された第１陽電極部および第２陽電極部と、半導体光源の陰極が接続された第１陰電極部および第２陰電極部と、凸部と、凹部と、を備える玩具用のブロックであって、他のブロックに第１態様で取り付けられた場合に、本ブロックの第１陽電極部と他のブロックの第２陽電極部とが接触し、かつ、本ブロックの第１陰電極部と他のブロックの第２陰電極部とが接触する第１接触状態が実現され、他のブロックに第１態様とは異なる第２態様で取り付けられた場合に、本ブロックの第１陽電極部と他のブロックの第２陰電極部とが接触し、かつ、本ブロックの第１陰電極部と他のブロックの第２陽電極部とが接触する第２接触状態が実現され、第１陽電極部および第１陰電極部は凸部に設けられ、第２陽電極部および第２陰電極部は凹部に設けられ、本ブロックの凸部が他のブロックの凹部に嵌め合わされることで本ブロックが他のブロックに取り付けられる。
【手続補正書】
【提出日】令和1年5月22日(2019.5.22)
【手続補正１】
【補正対象書類名】明細書
【補正対象項目名】０００４
【補正方法】変更
【補正の内容】
【０００４】
安全キャップは、安全弁（又は圧力開放弁）の目詰まりを防ぐために有効に作用するため、圧力調理器の爆発を防ぎ、圧力調理器の安全かつ確実な使用を提供する。しかし、ユーザは、圧力調理器を洗浄するために蓋から安全キャップを取り外すことがあり、結果として、ユーザが安全キャップを圧力開放弁に付け戻し忘れることや、圧力開放弁への安全キャップの完全な取付をし損なうことが起こり得、これは、最終的に望ましくない結果をもたらす。
［先行技術文献］
［特許文献１］  米国特許出願公開第２０１３／１９９６３３号明細書
［特許文献２］  欧州特許出願公開第２３９７０５２号明細書
［特許文献３］  欧州特許出願公開第０２４９５７２号明細書
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
腹腔鏡下手術で使用する送気および排煙システムであって、
ａ）前記システム内に加圧ガスを循環させるポンプと、
ｂ）患者の腹腔へのアクセスを提供するように構成され、送気流体源に流体連通する第１の管腔と前記ポンプに流体連通する第２の管腔とを備える二重管腔カニューレと
を含み、
前記二重管腔カニューレは、前記第２の管腔を介して前記患者の前記腹腔に器具がアクセスしているとき腹圧を維持するため、前記第２の管腔と機能的に連結し、前記第２の管腔と前記器具との間の隙間をシールするメカニカルシールを有する、システム。
【請求項２】
前記腹腔からガスを除去するために前記ポンプの吸引側に流体連通する単一管腔を備え、かつ患者の前記腹腔内に挿入するための第２のカニューレを含む、請求項１に記載のシステム。
【請求項３】
前記第２の管腔が、前記腹腔に加圧ガスを供給するために前記ポンプの加圧側に流体連通する、請求項２に記載のシステム。
【請求項４】
前記第２の管腔が、前記腹腔からガスを除去するために前記ポンプの吸引側に流体連通する、請求項１に記載のシステム。
【請求項５】
前記第１の管腔が、前記腹腔に加圧ガスおよび送気流体を供給するために前記送気流体源と前記ポンプの加圧側に流体連通する、請求項４に記載のシステム。
【請求項６】
腹腔鏡下手術で使用する送気および排煙システムであって、
ａ）送気流体源と、
ｂ）前記システム内に加圧ガスを循環させるポンプと、
ｃ）患者の腹腔へのアクセスを提供するように構成され、かつ前記腹腔へ加圧ガスおよび送気流体を供給するために送気流体源と前記ポンプの加圧側とに流体連通する第１の管腔と、前記腹腔からガスを除去するために前記ポンプの吸引側と流体連通する第２の管腔とを備える、二重管腔カニューレと
を含み、
前記二重管腔カニューレは、前記第２の管腔を介して前記患者の前記腹腔に器具がアクセスしているとき腹圧を維持するため、前記第２の管腔と機能的に連結し、前記第２の管腔と前記器具との間の隙間をシールするメカニカルシールを有する、システム。
【請求項７】
腹腔鏡下手術で使用する送気および排煙システムであって、
ａ）送気流体源と、
ｂ）前記システム内に加圧ガスを循環させるポンプと、
ｃ）腹腔に加圧ガスを供給するために、前記送気流体源に流体連通する第１の管腔と前記ポンプの加圧側に流体連通する第２の管腔とを備える二重管腔カニューレと、
ｄ）前記腹腔からガスを除去するために前記ポンプの吸引側に流体連通する単一管腔を有する第２のカニューレと
を含み、
前記二重管腔カニューレは、前記第２の管腔を介して前記患者の前記腹腔に器具がアクセスしているとき腹圧を維持するため、前記第２の管腔と機能的に連結し、前記第２の管腔と前記器具との間の隙間をシールするメカニカルシールを有する、システム。
【請求項８】
前記メカニカルシールは、ダックビルシールを含む、請求項１乃至７いずれかに記載のシステム。
【請求項９】
バイパス弁が、前記システム内のガス循環速度を制御するために前記ポンプと機能的に連結する、請求項１乃至８いずれかに記載のシステム。
【請求項１０】
前記第１の管腔が、腹圧を感知するセンス線として機能するように構成される、請求項１乃至９いずれかに記載のシステム。
【請求項１１】
前記システムから煙およびデブリスを除去するために前記システム内を循環するガスを濾過するフィルタ装置を備える、請求項１乃至１０いずれかに記載のシステム。
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
遊技媒体が上面を流下可能となるように形成されたスライド片を有し、該スライド片のうち最上流端部から最下流端部までの間の領域である特定の転動領域内にある遊技媒体を受け入れ可能な大入賞口手段と、
所定の始動条件が満たされたことに基づいて抽選を行う抽選手段と、
前記抽選手段による抽選にて特定の結果が得られた場合、前記スライド片が動作することにより前記大入賞口手段が開放される開放状態と、前記大入賞口手段が閉鎖される閉鎖状態との間で相互切り替えが行われうる特別遊技を実行可能な特別遊技実行手段と、
前記開放状態から前記閉鎖状態に切り替えられた後に前記大入賞口手段に到達した遊技媒体を、前記特定の転動領域内にて転動状態が維持されるかたちで所定の有限時間にわたって留まらせて、前記特別遊技において前記所定の有限時間内に前記閉鎖状態から前記開放状態に切り替えられるときに前記大入賞口手段に受け入れられうるようにする入賞慰留手段と、を備え、
前記特定の転動領域の上流には、該特定の転動領域へと遊技媒体を流下させる上流側供給面が設けられており、
前記入賞慰留手段は、前記上流側供給面が臨む球通路内には設けられておらず、且つ前記特定の転動領域において前記スライド片とは異なる部位で遊技媒体の流下速度を減速させる手段として設けられており、
前記特定の転動領域は、遊技媒体の流下する方向に直交する方向において複数個の遊技媒体が並び得ない通路幅で設けられ、
前記入賞慰留手段は、前記通路幅で設けられる前記特定の転動領域を流下する遊技媒体を前記所定の有限時間にわたって留まらせ、
前記入賞慰留手段は、前記特定の転動領域を流下する遊技媒体に接触して遊技媒体の流下速度を減速させる突部として設けられる
ことを特徴とする遊技機。
【手続補正２】
【補正対象書類名】明細書
【補正対象項目名】０００７
【補正方法】変更
【補正の内容】
【０００７】
手段１：遊技媒体が上面を流下可能となるように形成されたスライド片を有し、該スライド片のうち最上流端部から最下流端部までの間の領域である特定の転動領域内にある遊技媒体を受け入れ可能な大入賞口手段と、
所定の始動条件が満たされたことに基づいて抽選を行う抽選手段と、
前記抽選手段による抽選にて特定の結果が得られた場合、前記スライド片が動作することにより前記大入賞口手段が開放される開放状態と、前記大入賞口手段が閉鎖される閉鎖状態との間で相互切り替えが行われうる特別遊技を実行可能な特別遊技実行手段と、
前記開放状態から前記閉鎖状態に切り替えられた後に前記大入賞口手段に到達した遊技媒体を、前記特定の転動領域内にて転動状態が維持されるかたちで所定の有限時間にわたって留まらせて、前記特別遊技において前記所定の有限時間内に前記閉鎖状態から前記開放状態に切り替えられるときに前記大入賞口手段に受け入れられうるようにする入賞慰留手段と、を備え、
前記特定の転動領域の上流には、該特定の転動領域へと遊技媒体を流下させる上流側供給面が設けられており、
前記入賞慰留手段は、前記上流側供給面が臨む球通路内には設けられておらず、且つ前記特定の転動領域において前記スライド片とは異なる部位で遊技媒体の流下速度を減速させる手段として設けられており、
前記入賞慰留手段は、前記特定の転動領域を流下する遊技媒体に接触して遊技媒体の流下速度を減速させる突部として設けられる
ことを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成31年2月19日(2019.2.19)
【手続補正１】
【補正対象書類名】明細書
【補正対象項目名】０００８
【補正方法】変更
【補正の内容】
【０００８】
本発明に係る車載電力供給システムは、車両に搭載された被制御機器に信号線を介して接続され、該信号線を介して前記被制御機器の動作制御を行うコントローラと、前記車両に搭載された電源に電力線を介して接続され、前記車両に搭載された被制御機器に電力線を介して接続され、前記電源から前記被制御機器への電力の供給／非供給を切り替える電源ボックスとを有する車載制御装置を複数備え、一の車載制御装置が有する前記電源ボックスには、他の車載制御装置が有する前記コントローラに信号線を介して接続された被制御機器が、電力線を介して接続され、前記一の車載制御装置が有する前記電源ボックスは、前記他の車載制御装置が有する前記コントローラからの切替命令に応じて、前記一の車載制御装置に電力線を介して接続された被制御機器への電力の供給／非供給を切り替えることを特徴とする。
【手続補正２】
【補正対象書類名】明細書
【補正対象項目名】００１２
【補正方法】変更
【補正の内容】
【００１２】
また、本発明に係る車載制御装置は、車両に搭載された被制御機器に信号線を介して接続され、該信号線を介して前記被制御機器の動作制御を行うコントローラと、前記車両に搭載された電源に電力線を介して接続され、前記車両に搭載された被制御機器に電力線を介して接続され、前記電源から前記被制御機器への電力の供給／非供給を切り替える電源ボックスとを備える車載制御装置であって、前記電源ボックスは、前記電源から前記被制御機器への電力供給経路中に配されるスイッチと、他の装置からの切替命令の入力を受け付ける受付部と、前記受付部が受け付けた切替命令に応じて前記スイッチの通電／遮断を切り替える切替制御部とを備えることを特徴とする。
【手続補正３】
【補正対象書類名】特許請求の範囲
【補正対象項目名】全文
【補正方法】変更
【補正の内容】
【特許請求の範囲】
【請求項１】
車両に搭載された被制御機器に信号線を介して接続され、該信号線を介して前記被制御機器の動作制御を行うコントローラと、前記車両に搭載された電源に電力線を介して接続され、前記車両に搭載された被制御機器に電力線を介して接続され、前記電源から前記被制御機器への電力の供給／非供給を切り替える電源ボックスとを有する車載制御装置を複数備え、
一の車載制御装置が有する前記電源ボックスには、他の車載制御装置が有する前記コントローラに信号線を介して接続された被制御機器が、電力線を介して接続され、
前記一の車載制御装置が有する前記電源ボックスは、前記他の車載制御装置が有する前記コントローラからの切替命令に応じて、前記一の車載制御装置に電力線を介して接続された被制御機器への電力の供給／非供給を切り替えること
を特徴とする車載電力供給システム。
【請求項２】
前記電源ボックスは、
前記電源から前記被制御機器への電力供給経路中に配されるスイッチと、
前記切替命令の入力を受け付ける受付部と、
前記受付部が受け付けた切替命令に応じて前記スイッチの通電／遮断を切り替える切替制御部と
を有することを特徴とする請求項１に記載の車載電力供給システム。
【請求項３】
前記受付部は、前記車両内に設けられた車内ネットワークを介して前記切替命令を受け付けること
を特徴とする請求項２に記載の車載電力供給システム。
【請求項４】
前記車両には複数の前記車載制御装置と複数の前記被制御機器とが搭載されており、
前記被制御機器は、最寄りの車載制御装置の前記電源ボックスに電力線を介して接続され、且つ、当該被制御機器を制御する車載制御装置の前記コントローラに信号線を介して接続されていること
を特徴とする請求項１乃至請求項３のいずれか１つに記載の車載電力供給システム。
【請求項５】
車両に搭載された被制御機器に信号線を介して接続され、該信号線を介して前記被制御機器の動作制御を行うコントローラと、前記車両に搭載された電源に電力線を介して接続され、前記車両に搭載された被制御機器に電力線を介して接続され、前記電源から前記被制御機器への電力の供給／非供給を切り替える電源ボックスとを備える車載制御装置であって、
前記電源ボックスは、
前記電源から前記被制御機器への電力供給経路中に配されるスイッチと、
他の装置からの切替命令の入力を受け付ける受付部と、
前記受付部が受け付けた切替命令に応じて前記スイッチの通電／遮断を切り替える切替制御部と
を備えることを特徴とする車載制御装置。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ロボットデータを伝送する方法であって、
複数のロボットの各々の複数のセンサから、リアルタイムでデータを収集するステップと、
各々の前記ロボットの制御部から第１のデータ収集装置へ前記データをリアルタイムで伝送するステップと、
保有ポリシーを有するマルチセグメントの待ち行列機構を用いて、前記第１のデータ収集装置において前記データをバッファリングするステップであって、前記データは、トリガーイベント、優先順位、継続時間、サイズ、伝送速度、及び、スループット最適化のためのデータ変換又はデータ記憶要求の少なくとも１つに基づいて、前記保有ポリシーに従って保有される、ステップと、
前記保有ポリシーに基づいて、前記データを第２のデータ収集装置へ伝送するステップと、を備える、方法。
【請求項２】
前記ロボットのメンテナンスまたは最適化の必要性を判定するために、前記第２のデータ収集装置において前記データを解析するステップをさらに備える、請求項１に記載の方法。
【請求項３】
前記第２のデータ収集装置からレポートを生成するステップをさらに備え、
前記レポートは、機械の健全性、プロセスの健全性、システムの健全性、およびメンテナンス通知のうちの少なくとも１つを含む、請求項１に記載の方法。
【請求項４】
前記第１のデータ収集装置は、前記ロボットの前記制御部内の論理装置である、請求項１に記載の方法。
【請求項５】
前記第１のデータ収集装置は、前記ロボットの前記制御部の外部にある物理記憶装置である、請求項１に記載の方法。
【請求項６】
前記第２のデータ収集装置は、機能的ネットワークを介して前記第１のデータ収集装置に接続されたネットワークサーバである、請求項１に記載の方法。
【請求項７】
前記第２のデータ収集装置は、前記第１のデータ収集装置に設けられ、該第１のデータ収集装置と直接通信する、請求項１に記載の方法。
【請求項８】
前記第１のデータ収集装置に伝送された前記データは、所定期間に亘ってデータを保有可能なデータ記憶装置にバッファリングされ、
前記第１のデータ収集装置は、前記ロボットの前記制御部または外部機器からのイベント、および前記第１のデータ収集装置の内部のトリガーイベントのうちの１つに応じて、前記データの全てを前記第２のデータ収集装置へ伝送する、請求項１に記載の方法。
【請求項９】
前記第１のデータ収集装置に伝送された前記データは、所定期間に亘ってデータを保有可能なデータ記憶装置にバッファリングされ、
前記第１のデータ収集装置は、前記データを優先順位セグメント内で待ち行列に入れて、低優先順位のセグメントのデータ伝送を中断し、高優先順位のセグメントから前記データを前記第２のデータ収集装置またはサーバへ伝送する、請求項１に記載の方法。
【請求項１０】
前記データは、ジョイントの移動距離、コンポーネントの動作負荷、コンポーネントの動作温度、コンポーネントの速度超過による緊急停止、およびジョイントの反転移動状態のうちの少なくとも１つを含む、請求項１に記載の方法。
【請求項１１】
ロボットの解析および予測を報告する方法であって、
第１のデータ収集装置において、複数のロボットの各々の複数のセンサからデータを収集するステップと、
高優先順位及び低優先順位の待ち行列セグメント及び保有ポリシーを用いて、前記第１のデータ収集装置において前記データをバッファリングするステップであって、前記データは、トリガーイベント、優先順位、継続時間、サイズ、伝送速度、及び、スループット最適化のためのデータ変換又はデータ記憶要求の少なくとも１つに基づいて、前記保有ポリシーに従って保有される、ステップ
前記第１のデータ収集装置から離隔して設けられ、または該第１のデータ収集装置に設けられた第２のデータ収集装置に、前記保有ポリシーに基づいて前記データを伝送し、該データを該第２のデータ収集装置に記憶するステップと、
前記第２のデータ収集装置において前記データを解析するステップと、
前記第２のデータ収集装置による前記データの解析に基づくレポートを、該第２のデータ収集装置から生成するステップと、
前記レポート内にある、前記ロボットの前記制御部のパラメータ変更、異常、または不具合に対する判定を特定するステップと、
前記レポートを少なくとも１つの受信体へ分配するステップと、を備える、方法。
【請求項１２】
前記受信体は、スマートデバイス、サーバ、アプリケーションソフトウェア、Ｅメール、パーソナルコンピュータ、およびロボット教示装置のうちの少なくとも１つである、請求項１１に記載の方法。
【請求項１３】
前記データの解析に基づいて作業命令を生成するステップをさらに備える、請求項１１に記載の方法。
【請求項１４】
前記データは、ジョイントの移動距離、コンポーネントの動作負荷、コンポーネントの動作温度、コンポーネントの速度超過による緊急停止、およびジョイントの反転移動状態のうちの少なくとも１つを含む、請求項１１に記載の方法。
【請求項１５】
ロボットの解析および予測を報告するシステムであって、
少なくとも１つのロボットであって、該ロボットの複数のセンサから動的データを収集するように構成されたプログラム可能な制御部を有する、少なくとも１つのロボットと、
前記制御部から前記動的データを受信し、該動的データを、保有ポリシーによって定められる所定期間に亘ってマルチセグメント待ち行列にてバッファリングするように構成され、前記少なくとも１つのロボットの前記制御部と電気的に通信可能な第１のデータ収集装置であって、前記データは、トリガーイベント、優先順位、継続時間、サイズ、伝送速度、及び、スループット最適化のためのデータ変換又はデータ記憶要求の少なくとも１つに基づいて、前記保有ポリシーに従って保有される、第１のデータ収集装置と、
前記第１のデータ収集装置から前記動的データを受信して該動的データを解析するように構成され、前記第１のデータ収集装置と通信可能な第２のデータ収集装置と、
前記動的データの解析を受信するために前記第２のデータ収集装置と通信可能な受信体と、を備える、システム。
【請求項１６】
前記第１のデータ収集装置は、前記ロボットの前記制御部の記憶部内の論理装置である、請求項１５に記載のシステム。
【請求項１７】
前記第１のデータ収集装置は、前記制御部とは別に設けられた物理記憶ディスクである、請求項１５に記載のシステム。
【請求項１８】
前記制御部、前記第１のデータ収集装置、前記第２のデータ収集装置、および前記受信体の各々は、機能的ネットワークと通信可能である、請求項１５に記載のシステム。
【請求項１９】
前記第２のデータ収集装置は、前記第１のデータ収集装置に設けられる、請求項１５に記載のシステム。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
アルミニウム又は銅の短繊維と、充電時に電解質イオンが吸着する吸着物質粉又は充放電時に化学反応する活物質粉と、バインダーとを含む液状又はゲル状のスラリーを作成するスラリー作成工程と、
前記スラリーを所定形状に成形する成形工程と、
前記所定形状に成形された前記スラリーを乾燥させることによって前記アルミニウム又は銅の短繊維が集電体として機能する電極を形成する乾燥工程とを有する蓄電デバイスの電極の製造方法であって、
前記短繊維の平均長さは２５ｍｍ以下であるが、但し、平均長さが１ｍｍ以下である短繊維を除く、蓄電デバイスの電極の製造方法。
【請求項２】
前記短繊維の平均線形は５０μｍ以下であるが、但し、平均線形が１０μｍ以下である短繊維を除く、請求項１に記載の蓄電デバイスの電極の製造方法。
【請求項３】
前記短繊維が、アルミニウム又は銅の部材に切削工具を当てることにより成形される、請求項１又は２に記載の蓄電デバイスの電極の製造方法。
【請求項４】
アルミニウム又は銅の短繊維と、充電時に電解質イオンが吸着する吸着物質粉又は充放電時に化学反応する活物質粉と、バインダーとを含む液状又はゲル状のスラリーを作成するスラリー作成工程と、
前記スラリーを所定形状に成形する成形工程と、
前記所定形状に成形された前記スラリーを乾燥させることによって前記アルミニウム又は銅の短繊維が集電体として機能する電極を形成する乾燥工程とを有する蓄電デバイスの電極の製造方法であって、
前記短繊維の平均長さは２５ｍｍ以下であり、
前記短繊維が、アルミニウム又は銅の部材に切削工具を当てることにより成形される、蓄電デバイスの電極の製造方法。
【請求項５】
前記スラリー作成工程では、前記アルミニウム又は銅の短繊維と、前記吸着物質粉又は前記活物質粉と、前記バインダーと、平均太さが０．５μｍ以下であるカーボン繊維とを含む前記スラリーを作成する請求項１〜４の何れかに記載の電極の製造方法。
【請求項６】
前記アルミニウムとして純度が９９．９％以上のアルミニウムを用いる請求項１〜５の何れかに記載の電極の製造方法。
【請求項７】
前記成形工程の前に前記スラリーを前記バインダーが完全に硬化しない状態まで乾燥させる前乾燥工程をさらに有する請求項１〜６の何れかに記載の電極の製造方法。
【請求項８】
平均長さが２５ｍｍ以下であるが、平均長さが１ｍｍ以下である短繊維を除くアルミニウム又は銅の短繊維から成る集電体と、
該集電体の前記アルミニウム又は銅の短繊維間に形成された隙間に入り込んでおり、充電時に電解質イオンが吸着する吸着物質粉又は充放電時に化学反応する活物質粉とを備え、
前記集電体の隙間に入り込んだ平均太さが０．５μｍ以下のカーボン繊維をさらに備える蓄電デバイスの電極。
【請求項９】
前記集電体の前記アルミニウム又は銅の短繊維が曲げられており、前記活物質紛又は前記吸着物質紛に絡むように存在する請求項８に記載の電極。
【請求項１０】
前記アルミニウムは純度が９９．９％以上である請求項８又は９に記載の電極。